【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
仮想プロセス制御環境の第１および第２のホストサーバに関連付けられたネットワークカードの環境設定名のリストを含むデータ構造体にアクセスするステップであって、第１および第２のホストサーバがプロセス制御システムのワークステーションに対応する仮想マシンを実装するステップと、
第１のホストサーバを環境設定する時に、第１のホストサーバに関連付けられた第１のネットワークカードに第１の名前を割り当てるステップと、
第２のホストサーバを環境設定する時に、環境設定名のリストからの第１の名前のユーザ選択に基づいて、第２のホストサーバに関連付けられた第２のネットワークカードに該第１の名前を割り当てるステップであって、第２のホストサーバが第１のホストサーバの後に環境設定されるステップとを含む方法。
【請求項２】
第１のホストサーバを環境設定する時に、第１の名前で環境設定名リストを更新するステップをさらに含む請求項１に記載の方法。
【請求項３】
環境設定名リストがアクセス前の第１の名前を含む請求項１又は請求項２に記載の方法。
【請求項４】
ネットワークカードの環境設定名リストをユーザに対して表示して選択させるステップと、
ユーザが第２のネットワークカードにケーブルをプラグインした時に第２のネットワークカードの接続ステータスインジケータを変更するステップとをさらに含む請求項１〜請求項３の何れか１項に記載の方法。
【請求項５】
第１および第２のホストサーバがクラスタとして通信可能に接続され、共用ストレージに通信可能に接続された請求項１〜請求項４の何れか１項に記載の方法。
【請求項６】
データ構造体が環境設定名リスト内の環境設定名のいずれかに対応する第１および第２のホストサーバの各々へのインターネットプロトコル情報を含み、該方法が、第２のホストサーバを環境設定する時に、第２のホストサーバの第１の名前に対応するインターネットプロトコル情報を第２のネットワークカードに割り当てるステップをさらに含む請求項１〜請求項５の何れか１項に記載の方法。
【請求項７】
第１および第２のホストサーバが共用ストレージを統合したシャーシ内に搭載されるサーバブレードである請求項１〜請求項６の何れか１項に記載の方法。
【請求項８】
ネットワークカードに関連付けられたネットワークポートに割り当てられた現在の名前のリストを表示するステップと、
シャーシのグラフ表現をユーザに対して表示するステップであって、グラフ表現が現在の名前のリストからユーザが選択した第１のネットワークポートのロケーションを視覚的に識別するステップとをさらに含む請求項１〜請求項７の何れか１項に記載の方法。
【請求項９】
ユーザからの入力内容を受信して、プロセス制御システム内に新しいワークステーションとしての新しい仮想マシンを作成するステップと、
新しいワークステーションに対応する仮想マシンのテンプレートを取得するステップと、
入力内容と仮想マシンのテンプレートとに基づいて新しい仮想マシンを自動的に環境設定するステップと、
仮想プロセス制御環境内に新しい仮想マシンを実装するステップと
をさらに含む請求項１〜請求項８の何れか１項に記載の方法。
【請求項１０】
仮想プロセス制御環境内に実装された仮想ネットワーク接続の概略図を生成するステップをさらに含み、仮想ネットワーク接続が仮想マシン、仮想スイッチ、又は第１および第２のホストサーバに関連付けられたネットワークカードの少なくとも１つを表すアイコンを結ぶ線によって表される請求項１〜請求項９の何れか１項に記載の方法。
【請求項１１】
仮想プロセス制御環境の第１および第２のホストサーバに関連付けられたネットワークカードの環境設定名リストを含むデータ構造体にアクセスするホスト環境設定モジュールであって、仮想マシンを実装する第１および第２のホストサーバがプロセス制御システムのワークステーションに対応するホスト環境設定モジュールと、
ホスト環境設定モジュールが第１のホストサーバを環境設定する時に、第１のホストサーバに関連付けられた第１のネットワークカードに第１の名前を割り当て、第１のホストサーバの環境設定後に、ホスト環境設定モジュールが第２のホストサーバを環境設定する時に環境設定名リストからのユーザの第１の名前の選択に基づいて、第２のホストサーバに関連付けられた第２のネットワークカードに第１の名前を割り当てるネットワークカード名アサイナとを含むシステム。
【請求項１２】
ホスト環境設定モジュールが第１のホストサーバを環境設定する時に環境設定名リストに第１の名前が追加される請求項１１に記載のシステム。
【請求項１３】
環境設定名リストがホスト環境設定モジュールが第１のホストサーバを環境設定する前の第１の名前を含む請求項１１又は請求項１２に記載のシステム。
【請求項１４】
ネットワークカードの環境設定名リストをユーザに対して表示して選択させ、
ユーザが第２のネットワークカードにケーブルをプラグインした時に第２のネットワークカードの接続ステータスインジケータを変更するユーザインタフェースをさらに含む請求項１１〜請求項１３の何れか１項に記載のシステム。
【請求項１５】
第１および第２のホストサーバがクラスタとして通信可能に接続され、共用ストレージに通信可能に接続された請求項１１〜請求項１４の何れか１項に記載のシステム。
【請求項１６】
第１および第２のホストサーバが共用ストレージを統合したシャーシ内に搭載されるサーバブレードである請求項１１〜請求項１５の何れか１項に記載のシステム。
【請求項１７】
ネットワークカードに関連付けられたネットワークポートに割り当てられた現在の名前のリストを表示し、
シャーシのグラフ表現をユーザに対して表示するユーザインタフェースをさらに含み、グラフ表現が現在の名前のリストからユーザが選択した第１のネットワークポートのロケーションを視覚的に識別する請求項１１〜請求項１６の何れか１項に記載のシステム。
【請求項１８】
仮想プロセス制御環境内に実装された仮想ネットワーク接続の概略図を生成する仮想ネットワーク可視化ジェネレータをさらに含み、仮想ネットワーク接続が仮想マシン、仮想スイッチ、又は第１および第２のホストサーバに関連付けられたネットワークカードの少なくとも１つを表すアイコンを結ぶ線によって表される請求項１１〜請求項１７の何れか１項に記載のシステム。
【請求項１９】
有形のコンピュータ可読ストレージ媒体であって、命令を含み、実行されると、マシンが少なくとも、
仮想プロセス制御環境の第１および第２のホストサーバに関連付けられたネットワークカードの環境設定名のリストを含むデータ構造体にアクセスし、第１および第２のホストサーバがプロセス制御システムのワークステーションに対応する仮想マシンを実装し；
第１のホストサーバを環境設定する時に、第１のホストサーバに関連付けられた第１のネットワークカードに第１の名前を割り当て；
第２のホストサーバを環境設定する時に、環境設定名のリストからの第１の名前のユーザ選択に基づいて、第２のホストサーバに関連付けられた第２のネットワークカードに該第１の名前を割り当て、第２のホストサーバが第１のホストサーバの後に環境設定される、
有形のコンピュータ可読ストレージ媒体。
【請求項２０】
命令によって、マシンがさらに、第１のホストサーバを環境設定する時に、第１の名前で環境設定名リストを更新する請求項１９に記載の有形のコンピュータ可読ストレージ媒体。
【請求項２１】
環境設定名リストがアクセスされる前の第１の名前を含む請求項１９又は請求項２０に記載の有形のコンピュータ可読ストレージ媒体。